(57)【要約】      （修正有）【課題】ケーブルの損傷リスクを低減しつつ支柱の重心ずれを抑制するケーブル台を提供する。【解決手段】床の上に支柱Ｈを立てその上に板状のパネルが設けられるフリーアクセスフロアのパネルの下に設置されるケーブル台１であって、支柱を通すための空間が設けられたベース部材１１と、ベース部材を支持する支持脚２１、２２、２３〜と、空間と対向してベース部材の上に設けられる複数の第１のカバー部材１４、１５と、第１のカバー部材に隣接して設けられ且つベース部材の上に設けられる第２のカバー部材１２、１３と、を有する。第１のカバー部材は、ベース部材に取り外し可能に取り付けられているか又は一側端が第２のカバー部材に回動可能に連結される。第１のカバー部材それぞれには、切り欠きが設けられており、第１のカバー部材がベース部材の上に設けられたときに、支柱が第１のカバー部材それぞれの切り欠きによって形成された空間を通るようにする。【選択図】図１
2020080592.tif 000002
【特許請求の範囲】
【請求項１】
床の上に支柱を立てその上に板状のパネルが設けられるフリーアクセスフロアの当該パネルの下に設置されるケーブル台であって、
前記支柱を通すための空間が設けられたベース部材と、
前記ベース部材を支持する支持脚と、
前記空間と対向して前記ベース部材の上に設けられている複数の第１のカバー部材と、
前記第１のカバー部材に隣接して設けられ且つ前記ベース部材の上に設けられている第２のカバー部材と、
を備え、
前記第１のカバー部材は、前記ベース部材に取り外し可能に取り付けられているか、または一側端が前記第２のカバー部材に回動可能に連結されており、
前記第１のカバー部材それぞれには、切り欠きが設けられており、前記第１のカバー部材が前記ベース部材の上に設けられたときに前記支柱が前記第１のカバー部材それぞれの当該切り欠きによって形成された空間を通るように当該切り欠きが設けられている
ケーブル台。
【請求項２】
前記第１のカバー部材それぞれには、前記切り欠きによって形成された端部に弾性体が設けられている
請求項１に記載のケーブル台。
【請求項３】
前記第２のカバー部材の一面には、溝が形成されており、
前記溝を移動可能に前記第２のカバー部材に設置され且つケーブルを支持するために設けられたケーブル支持部材を更に備える
請求項１または２に記載のケーブル台。
【請求項４】
前記ケーブル支持部材には、前記第２のカバー部材に連結されている端部とは反対の端部に、前記ケーブルを上から支持するための支持部品が設けられている
請求項３に記載のケーブル台。
【発明の詳細な説明】
【技術分野】
【０００１】
本発明は、ケーブル台に関する。
【背景技術】
【０００２】
フリーアクセスフロア（ＯＡフロアともいう）は、床の上にネットワークケーブル（通信ケーブルともいう）及び電源ケーブルなどのための一定の高さの空間をとり、その上の別の床を設け二重化したものである。
【先行技術文献】
【特許文献】
【０００３】
【特許文献１】特開２００１−２０５０７号公報
【発明の概要】
【発明が解決しようとする課題】
【０００４】
現状の多くの床下配線は、フリーアクセスフロア内部に単純にケーブルを無造作に置くだけである。この場合、工事を重なれば重ねるほど、累積したケーブル類の整理が困難な状況になり、先に敷設したケーブルの撤去作業が困難な状況になる場合がある。このような現状を鑑みると、フリーアクセスフロアの床下空間に電源ケーブルやネットワークケーブル等のケーブル類を整理及び／または分離した状態で配線することが望ましい。これに対して、特許文献１の床パネル用支持装置は、ベース床面に立設され、ベース床面の上方位置に敷設されるフリーアクセスフロア用の床パネル（フリーアクセスパネルともいう）を支持する支持脚と、支持脚に設けられ、ベース床面と床パネルとの間の床下空間に配線されるケーブル類を支持する配線受けとから成る床パネル用支持装置であって、前記配線受けを、複数本のケーブル類を支持する受け部と、受け部を支持脚へ着脱自在に取り付ける取付け部とから構成する。
【０００５】
ケーブル、特にネットワークケーブルは、例えば光ファイバーケーブルであるため、損傷を回避するために曲げないようにすることが望ましい。しかしながら、特許文献１の床パネル用支持装置では、配線受けで大量のネットワークケーブルを支持するようにすると、ネットワークケーブルの重さに耐えられず、下に湾曲してしまい、ネットワークケーブルが損傷するリスクがあるという問題がある。また特許文献１の床パネル用支持装置は、フリーアクセスパネルを支持する支柱に、ケーブル及びケーブル支持装置の荷重がかかることにより、支柱の重心がずれる（偏心する）恐れがあるという問題がある。
【０００６】
本発明は、上記問題に鑑みてなされたものであり、フリーアクセスフロアの床下空間におけるケーブルを整理する際にケーブルの損傷リスクを低減しつつ支柱の重心がずれるのを抑制するすることを可能とするケーブル台を提供することを目的とする。
【課題を解決するための手段】
【０００７】
本発明の第１の態様に係るケーブル台は、床の上に支柱を立てその上に板状のパネルが設けられるフリーアクセスフロアの当該パネルの下に設置されるケーブル台であって、前記支柱を通すための空間が設けられたベース部材と、前記ベース部材を支持する支持脚と、前記空間と対向して前記ベース部材の上に設けられている複数の第１のカバー部材と、前記第１のカバー部材に隣接して設けられ且つ前記ベース部材の上に設けられている第２のカバー部材と、を備え、前記第１のカバー部材は、前記ベース部材に取り外し可能に取り付けられているか、または一側端が前記第２のカバー部材に回動可能に連結されており、前記第１のカバー部材それぞれには、切り欠きが設けられており、前記第１のカバー部材が前記ベース部材の上に設けられたときに前記支柱が前記第１のカバー部材それぞれの当該切り欠きによって形成された空間を通るように当該切り欠きが設けられている。
【０００８】
この構成によれば、ケーブル台を支柱に固定しながら、複数のケーブル台を連続的に配置することによって、ケーブルを支持する連続的な支持台を作ることができる。ベース部材が支持脚で支持されているので、多くのケーブルをこの連続的な支持台に配置しても、この連続的な支持台がたわむことがないため、ケーブルが下に湾曲して負荷がかかるのを回避することができる。また、このケーブル台は、ケーブル及びケーブル台の荷重を全て床で受けるため、パネルを支持する支柱に荷重がかからないので、支柱の重心がずれるのを抑制することができる。これにより、フリーアクセスフロアの床下空間におけるケーブルを整理する際にケーブルの損傷リスクを低減しつつ支柱の重心がずれるのを抑制することができる。よって、上記特許文献１の問題を解決することができる。
また、ケーブル台は、パネルの床からの高さに合わせて支持脚の高さを調整でき、パネルの寸法に合わせてベース部材の幅を調整して製作が可能なため、様々なタイプのフリーアクセスフロアにてケーブル台を設置することができる。またケーブル台を１つのモジュールとするモジュール構成のため、システム構築後のケーブル台の増設、ケーブル台の撤去が可能なため、構築後の拡張性にも優れる。更に、支柱に固定しながら、複数のケーブル台を連続的に配置が可能であるから、アンカー固定などの追加作業が不要であるという利点がある。
また、例えばネットワークケーブルをベース部材の上に配置し、電源ケーブルをベース部材の下に配置するなど、種類の異なるケーブルを分けて配置することができるので、各ケーブルの電気干渉の抑制しつつ、種類の異なるケーブルの識別を容易化するっことができる。また、各ケーブルの収納スペースが明確になり、再工事の際に撤去対象のケーブル及び／または補修対象のケーブルの識別が容易になる。
また、このケーブル台は、ベース部材の上に設けられた第１のカバー部材と第２のカバー部材を設けることによって、床の階層とは別の階層が形成される。このケーブル台は高さ方向に積み重ねることによって、フリーアクセスフロアの空間を高さ方向に複数の階層に分けることができ、複数層に配線スペースを区切ることができる。
【０００９】
本発明の第２の態様に係るケーブル台は、第１の態様に係るケーブル台であって、前記第１のカバー部材それぞれには、前記切り欠きによって形成された端部に弾性体が設けられている。
【００１０】
この構成によれば、地震等でケーブル台が揺れた場合でも、ケーブル台の揺れによって支柱にかかる力を低減することができる。
【００１１】
本発明の第３の態様に係るケーブル台は、第１または２の態様に係るケーブル台であって、前記第２のカバー部材の一面には、溝が形成されており、前記溝を移動可能に前記第２のカバー部材に設置され且つケーブルを支持するために設けられたケーブル支持部材を更に備える。
【００１２】
この構成によれば、ケーブル支持部材を移動させて所望の位置でケーブルを支持することができるので、ケーブルに大きな負荷をかけることなくケーブルを所望の方向に湾曲させることができる。
【００１３】
本発明の第４の態様に係るケーブル台は、第３の態様に係るケーブル台であって、前記ケーブル支持部材には、前記第２のカバー部材に連結されている端部とは反対の端部に、前記ケーブルを上から支持するための支持部品が設けられている。
【００１４】
この構成によれば、ケーブルが上に飛び出して、ケーブル支持部材から外れることを防止することができる。
【発明の効果】
【００１５】
本発明の一態様によれば、ケーブル台を支柱に固定しながら、複数のケーブル台を連続的に配置することによって、ケーブルを支持する連続的な支持台を作ることができる。ベース部材が支持脚で支持されているので、多くのケーブルをこの連続的な支持台に配置しても、この連続的な支持台がたわむことがないため、ケーブルが下に湾曲して負荷がかかるのを回避することができる。また、このケーブル台は、ケーブル及びケーブル台の荷重を全て床で受けるため、パネルを支持する支柱に荷重がかからないので、支柱の重心がずれるのを抑制することができる。これにより、フリーアクセスフロアの床下空間におけるケーブルを整理する際にケーブルの損傷リスクを低減しつつ支柱の重心がずれるのを抑制することができる。
また、ケーブル台は、パネルの床からの高さに合わせて支持脚の高さを調整でき、パネルの寸法に合わせてベース部材の幅を調整して製作が可能なため、様々なタイプのフリーアクセスフロアにてケーブル台を設置することができる。またケーブル台を１つのモジュールとするモジュール構成のため、システム構築後のケーブル台の増設、ケーブル台の撤去が可能なため、構築後の拡張性にも優れる。更に、支柱に固定しながら、複数のケーブル台を連続的に配置が可能であるから、アンカー固定などの追加作業が不要であるという利点がある。
また、例えばネットワークケーブルをベース部材の上に配置し、電源ケーブルをベース部材の下に配置するなど、種類の異なるケーブルを分けて配置することができるので、各ケーブルの電気干渉の抑制しつつ、種類の異なるケーブルの識別を容易化するっことができる。また、各ケーブルの収納スペースが明確になり、再工事の際に撤去対象のケーブル及び／または補修対象のケーブルの識別が容易になる。
また、このケーブル台は、ベース部材の上に設けられた第１のカバー部材と第２のカバー部材を設けることによって、床の階層とは別の階層が形成される。このケーブル台は高さ方向に積み重ねることによって、フリーアクセスフロアの空間を高さ方向に複数の階層に分けることができ、複数層に配線スペースを区切ることができる。
【図面の簡単な説明】
【００１６】
【図１】本実施形態に係るケーブル台の斜視図である。
【図２】ケーブル台１を上から見た図である。
【図３】ケーブル台１から、第２のカバー部材１２、１３、第１のカバー部材１５が取り外された平面図である。
【図４】ベース部材１１の側端部を示す図である。
【図５】ケーブル支持部材Ｓ２、Ｓ３によってケーブルが支持されていることを示す図である。
【図６】ケーブル台１の設置の流れを示す模式図である。
【図７】ケーブル台１を複数設置した場合の例を示す図である。
【図８】本実施形態の変形例に係るケーブル台を上から見た図である。
【発明を実施するための形態】
【００１７】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
本実施形態にかかるフリーアクセスフロアは、床の上に支柱を立てその上に板状のパネル（フリーアクセスパネルともいう）が設けられるものを想定する。本実施形態に係るケーブル台は、床の上に支柱を立てその上に板状のパネルが設けられるフリーアクセスフロアの当該パネルの下に設置されるものである。まず図１を用いて、本実施形態に係るケーブル台について説明する。
【００１９】
図１は、本実施形態に係るケーブル台の斜視図である。図１に示すように、本実施形態に係るケーブル台１は、フリーアクセスフロアの支柱Ｈが貫通された状態で設置される。なお、この支柱Ｈは、ケーブル台１に含まれるものではない。
図１に示すように、本実施形態に係るケーブル台１は、支柱Ｈを通すための空間（不図示）が設けられたベース部材１１と、ベース部材１１を支持する支持脚２１〜２４とを備える。
【００２０】
図１に示すように、更にケーブル台１は、前記空間と対向してベース部材１１の上に設けられ且つ互いに隣接して配置されている第１のカバー部材１４、１５を備える。第１のカバー部材１４、１５は一例として、取り外し可能ベース部材に取り外し可能に取り付けられている。また第１のカバー部材１４、１５は一例として金属板である。
【００２１】
更にケーブル台１は、第１のカバー部材１４に隣接して設けられ且つベース部材１１の上に設けられている第２のカバー部材１２と、第１のカバー部材１５に隣接して設けられ且つベース部材１１の上に設けられている第２のカバー部材１３とを備える。第２のカバー部材１２、１３は一例として金属板である。第１のカバー部材１４には、切り欠きによって形成された端部に弾性体１６が設けられている。第１のカバー部材１５には、切り欠きによって形成された端部に弾性体１７が設けられている。この第１のカバー部材１４、１５を、支柱Ｈを挟み込むようにベース部材１１に取付け、支柱Ｈに固定する。これにより、地震等でケーブル台１が揺れた場合でも、ケーブル台１の揺れによって支柱Ｈにかかる力を低減することができる。
【００２２】
図２は、ケーブル台１を上から見た図である。図３は、ケーブル台１から、第２のカバー部材１２、１３、第１のカバー部材１５が取り外された場合において上から見た図である。図２及び図３に示すように、本実施形態では、ベース部材１１は一例として、４つの金属柱材１１１〜１１４（ここでは一例としてアルミ柱材）が結合された中空のフレームである。第１のカバー部材１４は、ねじ止め用の穴が両端部に設けられており、金属柱材１１２、１１４にねじＮ１、Ｎ２によって固定されている。
【００２３】
図４は、ベース部材１１の側端部を示す図である。図４に示すように、ベース部材１１の側端部は丸みが設けられている（いわゆるＲが設けられている）。これにより、ケーブルＣ１が滑らかに湾曲するので、ケーブルＣ１にかかる負荷を抑制することができる。
【００２４】
第１のカバー部材１４，１５それぞれには、切り欠きが設けられており、第１のカバー部材１４，１５がベース部材１１の上に設けられたときに支柱Ｈが第１のカバー部材１４、１５それぞれの当該切り欠きによって形成された空間を通るように当該切り欠きが設けられている。
【００２５】
第１のカバー部材１５にも同様に、切り欠きによって形成された端部に弾性体１６、１７が設けられている。これにより、地震等でケーブル台１が揺れた場合でも、ケーブル台１の揺れによって支柱Ｈにかかる力を低減することができる。
【００２６】
第２のカバー部材１２、１３の一面には、縦長の溝（スリットともいう）が形成されている。更にケーブル台１は、この溝を移動可能に第２のカバー部材１２または１３に設置され且つケーブルを支持するために設けられたケーブル支持部材（以下、ケーブルスプールともいう）Ｓ１〜Ｓ４を更に備える。この構成により、ケーブル支持部材を移動させて所望の位置でケーブルを支持することができるので、ケーブルに大きな負荷をかけることなくケーブルを所望の方向に湾曲させることができる。
【００２７】
図１に示すように、ケーブル支持部材Ｓ１には、第２のカバー部材１２に連結されている端部とは反対の端部に、ケーブルを上から支持するための支持部品Ｓ１１が設けられている。この支持部品Ｓ１１は、固定部材Ｓ１２によって固定されている。同様に、ケーブル支持部材Ｓ２には、第２のカバー部材１３に連結されている端部とは反対の端部に、ケーブルを上から支持するための支持部品Ｓ２１が設けられている。この支持部品Ｓ２１は、固定部材Ｓ２２によって固定されている。同様に、ケーブル支持部材Ｓ３には、第２のカバー部材１３に連結されている端部とは反対の端部に、ケーブルを上から支持するための支持部品Ｓ３１が設けられている。この支持部品Ｓ３１は、固定部材Ｓ３２によって固定されている。同様に、ケーブル支持部材Ｓ４には、第２のカバー部材１２に連結されている端部とは反対の端部に、ケーブルを上から支持するための支持部品Ｓ４１が設けられている。この支持部品Ｓ４１は、固定部材Ｓ４２によって固定されている。
【００２８】
図５は、ケーブル支持部材Ｓ２、Ｓ３によってケーブルが支持されていることを示す図である。図５に示すように、ケーブルＣ２は、ケーブル支持部材Ｓ３によって指示されている。これにより、ケーブルに大きな負荷をかけることなくケーブルを所望の方向に湾曲させることができる。
また図５に示すように、ケーブルＣ２が支持部品Ｓ３１によって抑えられている。これにより、ケーブルＣ２が上に飛び出して、ケーブル支持部材Ｓ３から外れることを防止することができる。
【００２９】
図６は、ケーブル台１の設置の流れを示す模式図である。図６は、既設のフリーアクセスフロアの床下空間にケーブル台１を設置する例である。図６（Ａ）に示すように、既設のフリーアクセスフロアには、床Ｆの上に支柱Ｈを立てその上に板状のパネルＰが設けられている。
【００３０】
図６（Ｂ）に示すように、まず、作業員は、パネルＰが取り外される。次に、図６（Ｃ）に示すように、第１のカバー部材１４、１５を外した状態で、支柱Ｈがベース部材１１の空間を通るようにケーブル台１を設置する。次に、作業員は、この第１のカバー部材１４、１５を、支柱Ｈを挟み込むようにベース部材１１に取付け、支柱Ｈに固定する。
【００３１】
次に、図６（Ｄ）に示すように、一例として、作業員は、キャビネットラックＣＲのコンピュータＣＰに接続されたネットワークケーブルＮＣを、ベース部材１１の上に配置する。また、作業員は、キャビネットラックＣＲのコンセントバーＣＢに接続された電源ケーブルを、ベース部材１１の下の床Ｆに配置する。このように、ベース部材１１の上と下で、ケーブルの種類を分けて配置することができるように、立体的なケーブル整線が可能である。
【００３２】
図７は、ケーブル台１を複数設置した場合の例を示す図である。図７に示すように、支柱Ｈ毎にケーブル台１が配置されている。図７に示すように、支柱Ｈに固定しながら、複数のケーブル台１を連続的に配置することによって、ケーブルを支持する連続的な支持台を作ることができる。このように、ケーブル台１は、支柱Ｈ毎に設けることができるモジュール式であるため、ケーブル台１の数を調節することにより、小規模から大規模までのケーブル整理システムを構築することができる。これにより、システム構築後のケーブル台１の増設、ケーブル台１の撤去が可能なため、構築後の拡張性にも優れる。更に、図７に示すように、支柱Ｈに固定しながら、複数のケーブル台１を連続的に配置が可能であるから、アンカー固定などの追加作業が不要であるという利点がある。
【００３３】
以上、本実施形態に係るケーブル台１は、床の上に支柱を立てその上に板状のパネルが設けられるフリーアクセスフロアの当該パネルの下に設置されるケーブル台である。ケーブル台１は、支柱Ｈを通すための空間が設けられたベース部材１１と、ベース部材１１を支持する支持脚２１〜２４と、空間と対向してベース部材の上に設けられ且つ配置されている複数の第１のカバー部材１４、１５と、第１のカバー部材１４、１５に隣接して設けられ且つ前記ベース部材の上に設けられている第２のカバー部材１２、１３と、を備える。第１のカバー部材１４、１５は、ベース部材１１に取り外し可能に取り付けられている。第１のカバー部材１４、１５それぞれには、切り欠きが設けられており、第１のカバー部材１４、１５がベース部材１１の上に設けられたときに支柱Ｈが第１のカバー部材１４、１５それぞれの当該切り欠きによって形成された空間を通るように当該切り欠きが設けられている。
【００３４】
この構成により、ケーブル台１を支柱Ｈに固定しながら、複数のケーブル台１を連続的に配置することによって、ケーブルを支持する連続的な支持台を作ることができる。ベース部材が支持脚で支持されているので、多くのケーブルをこの連続的な支持台に配置しても、この連続的な支持台がたわむことがないため、ケーブルが下に湾曲して負荷がかかるのを回避することができる。また、このケーブル台１は、ケーブル及びケーブル台１の荷重を全て床で受けるため、パネルを支持する支柱に荷重がかからないので、支柱の重心がずれるのを抑制することができる。これにより、フリーアクセスフロアの床下空間におけるケーブルを整理する際にケーブルの損傷リスクを低減しつつ支柱Ｈの重心がずれるのを抑制することができる。
【００３５】
また、ケーブル台１は、パネルの床からの高さに合わせて支持脚の高さを調整でき、パネルの寸法に合わせてベース部材１１の幅を調整して製作が可能なため、様々なタイプのフリーアクセスフロアにてケーブル台１を設置することができる。またケーブル台１を１つのモジュールとするモジュール構成のため、システム構築後のケーブル台１の増設、ケーブル台１の撤去が可能なため、構築後の拡張性にも優れる。更に、支柱Ｈに固定しながら、複数のケーブル台１を連続的に配置が可能であるから、アンカー固定などの追加作業が不要であるという利点がある。
【００３６】
また、例えばネットワークケーブルをベース部材１１の上に配置し、電源ケーブルをベース部材１１の下に配置するなど、種類の異なるケーブルを分けて配置することができるので、各ケーブルの電気干渉を抑制しつつ、種類の異なるケーブルの識別を容易化するっことができる。また、各ケーブルの収納スペースが明確になり、再工事の際に撤去対象のケーブル及び／または補修対象のケーブルの識別が容易になる。
【００３７】
また、このケーブル台１は、ベース部材１１の上に設けられた第１のカバー部材１４、１５と第２のカバー部材１２、１３を設けることによって、床の階層とは別の階層が形成される。このケーブル台は高さ方向に積み重ねることによって、フリーアクセスフロアの空間を高さ方向に複数の階層に分けることができ、複数層に配線スペースを区切ることができる。
【００３８】
なお、本実施形態では、第１のカバー部材は、２つであるとして説明したが、第１のカバー部材１４または第１のカバー部材１５を更に複数に分割することによって、第１のカバー部材を３つ以上で構成してもよい。
【００３９】
また、本実施形態では、支柱Ｈを通してケーブル台１を設置するために、第１のカバー部材１４、１５は、取り外し可能であるものとして説明したが、これに限ったものではない。
図８は、本実施形態の変形例に係るケーブル台を上から見た図である。図８に示すように、ケーブル台１は、第１のカバー部材１４の一側端と第２のカバー部材１２の一側端を連結するヒンジ４１を備えてもよい。この場合、ヒンジ４１によって、第１のカバー部材１４の一側端が第２のカバー部材１２に回動可能に連結されている。同様に、ケーブル台１は、第１のカバー部材１５の一側端と第２のカバー部材１３の一側端を連結するヒンジ４２を備えてもよい。この場合、ヒンジ４２によって、第１のカバー部材１５の一側端が第２のカバー部材１３に回動可能に連結されている。その一例として、例えばなどによって第１のカバー部材１５の一側端が第２のカバー部材１３に連結されてもよい。
【００４０】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００４１】
１  ケーブル台
１１  ベース部材
１１１、１１２  金属柱材
１２、１３  第２のカバー部材
１４、１５  第１のカバー部材
１６  弾性体
２１〜２４  支持脚
４１、４２  ヒンジ
ＣＢ  コンセントバー
ＣＰ  コンピュータ
ＣＲ  キャビネットラック
Ｆ  床
Ｈ  支柱
Ｎ１、Ｎ２  ねじ
ＮＣ  ネットワークケーブル
Ｐ  パネル
Ｓ１〜Ｓ４  ケーブル支持部材
Ｓ１１、Ｓ２１、Ｓ３１、Ｓ４１  支持部品
Ｓ１２、Ｓ２２、Ｓ３２、Ｓ４２  固定部材
【図１】
2020080592.tif 000003
【図２】
2020080592.tif 000004
【図３】
2020080592.tif 000005
【図４】
2020080592.tif 000006
【図５】
2020080592.tif 000007
【図６】
2020080592.tif 000008
【図７】
2020080592.tif 000009
【図８】
2020080592.tif 000010
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
床の上に支柱を立てその上に板状のパネルが設けられるフリーアクセスフロアの当該パネルの下に設置されるケーブル台であって、
前記支柱を通すための空間が設けられたベース部材と、
前記ベース部材を支持する支持脚と、
前記空間と対向して前記ベース部材の上に設けられている複数の第１のカバー部材と、
を備え、
前記第１のカバー部材は、前記ベース部材に取り外し可能に取り付けられており、
前記第１のカバー部材それぞれには、切り欠きが設けられており、前記第１のカバー部材が前記ベース部材の上に設けられたときに前記支柱が前記第１のカバー部材それぞれの当該切り欠きによって形成された空間を通るように当該切り欠きが設けられている
ケーブル台。
【請求項２】
床の上に支柱を立てその上に板状のパネルが設けられるフリーアクセスフロアの当該パネルの下に設置されるケーブル台であって、
前記支柱を通すための空間が設けられたベース部材と、
前記ベース部材を支持する支持脚と、
前記空間と対向して前記ベース部材の上に設けられている複数の第１のカバー部材と、
前記第１のカバー部材に隣接して設けられ且つ前記ベース部材の上に設けられている第２のカバー部材と、
を備え、
前記第１のカバー部材は、一側端が前記第２のカバー部材に回動可能に連結されており、
前記第１のカバー部材それぞれには、切り欠きが設けられており、前記第１のカバー部材が前記ベース部材の上に設けられたときに前記支柱が前記第１のカバー部材それぞれの当該切り欠きによって形成された空間を通るように当該切り欠きが設けられている
ケーブル台。
【請求項３】
前記第２のカバー部材の一面には、溝が形成されており、
前記溝を移動可能に前記第２のカバー部材に設置され且つケーブルを支持するために設けられたケーブル支持部材を更に備える
請求項２に記載のケーブル台。
【請求項４】
前記ケーブル支持部材には、前記第２のカバー部材に連結されている端部とは反対の端部に、前記ケーブルを上から押さえるための支持部品が設けられている
請求項３に記載のケーブル台。
【請求項５】
前記第１のカバー部材それぞれには、前記切り欠きによって形成された端部に弾性体が設けられている
請求項１から４のいずれか一項に記載のケーブル台。